(57)【要約】【課題】植物の側枝等をワンタッチで把持状態に固定する。【解決手段】一対で、支点となる開閉部Ａによって開閉自在に連設された前側の把持部１１，１２と、この把持部１１，１２に対し、開閉部Ａを介して後側に連設された一対の操作部１３，１４と、この操作部１３，１４の後端部の一方から他方に向かって連なり、後側の頂点とともに、操作部１３，１４の後端部との連結点にそれぞれヒンジ１５１，１５２，１５３が設けられた付勢部と、で植物用栽培具１を構成する。【選択図】図３
2012000029.tif 000002
【特許請求の範囲】
【請求項１】
一対で、支点となる開閉部によって開閉自在に連設された前側の把持部と、
この把持部に対し、前記開閉部を介して後側に連設された一対の操作部と、
この操作部の一方から他方に向かって連なる付勢部と、
からなることを特徴とする植物用栽培具。
【請求項２】
前記付勢部は、内向きに指向していて、この内向きに指向している頂点と、前記操作部の一方および他方との連結点にそれぞれヒンジが設けられている、
ことを特徴とする請求項１に記載の植物用栽培具。
【請求項３】
前記一対の操作部には、前記支点を中心とする同一円弧上に、内側へ突出させたストッパ部がそれぞれ設けられている、
ことを特徴とする請求項１又は請求項２に記載の植物用栽培具。
【発明の詳細な説明】
【技術分野】
【０００１】
この発明は、温室或いは圃場での植物の生育を補助するのに用いられ、植物の側枝等をハウス内の棚線へ、一時的に留めるのに役立つ植物用栽培具に関する。
【背景技術】
【０００２】
一般に、キウリ、メロンなどウリ科の植物は、その側枝に実となる部分が生育する。この実は生育するにつれ重量が増すため、これらの植物を天井のある温室或いは圃場にて生育させる場合には、植物が主枝ごと重力方向に倒れるようなことがないようにするための作業、具体的には、例えば、その室内に棚線を設け、この棚線に側枝を支持させる作業が行われている。
【発明の概要】
【発明が解決しようとする課題】
【０００３】
ここで、棚線に側枝を支持させるのに用いる道具としては、洗濯物を干すときなどに用いられる所謂洗濯ばさみがワンタッチで便宜であるので、これまで、洗濯ばさみの鋏持部にて側枝と棚線とをまとめて銜えて保持させることが行われていた。
【０００４】
しかし、所謂洗濯ばさみは、植物を生育させるために製造されておらず、洗濯ばさみの鋏持部にて側枝と棚線とをまとめて銜えることから、側枝を傷つけるという虞があった。また、植物の側枝等の鋏持状態を維持するために必要な付勢力を備えた付勢部材は、通常、金属製のものが用いられており、合成樹脂製の洗濯ばさみの本体部と金属製の付勢部材の２つの部材からなるので、１つの部材からなるものに比べコスト高であった。
【０００５】
本発明は、上記実情に鑑み提案されたもので、植物の側枝等をハウス内の棚線へ、一時的に留めるのに役立つ植物用栽培具に関し、合成樹脂製の一つの材質にて構成することができてコスト面で有利となるとともに、植物の鋏持に適した形状として、植物の側枝等を傷つけるのを防ぐようにした植物用栽培具を提供することを目的とする。
【課題を解決するための手段】
【０００６】
上記課題を解決するため、本発明に係る植物用栽培具は、一対で、支点となる開閉部によって開閉自在に連設された前側の把持部と、この把持部に対し、前記開閉部を介して後側に連設された一対の操作部と、この操作部の一方から他方に向かって連なる付勢部とからなることを特徴とする。
【０００７】
特に、上記付勢部は、内向きに指向していて、この内向きに指向している頂点と、前記操作部の一方および他方との連結点にそれぞれヒンジが設けられていることが好ましい。また、一対の操作部には、支点となる開閉部を中心とする同一円弧上に、内側へ突出させたストッパ部がそれぞれ設けられていることががさらに好ましい。
【発明の効果】
【０００８】
本発明では、一対で、支点となる開閉部によって開閉自在に連設された前側の把持部と、この把持部に対し、開閉部を介して後側に連設された一対の操作部と、この操作部の一方から他方に向かって連なる付勢部とからなるので、例えば、すべてを合成樹脂により製造すれば、製造の簡略化が果たせるとともに、そのコスト面で有利なものとすることができる。にもかかわらず、従来と同様に、把持部にて植物の側枝等を棚線とともに把持状態にワンタッチで固定することができ、作業の手間等を省くのに便宜な植物用栽培具として提供することができる。
【０００９】
特に、付勢部は内向きに指向していて、この内向きに指向している頂点と、操作部の一方および他方との連結点にそれぞれヒンジを設けた構成とすれば、付勢部による付勢力を強力なものとすることができ、把持部にて植物の側枝等を棚線とともに把持状態に確実に固定することができる。そうすると、例えば、圃場において雨風等が激しい場合にも把持部によって植物の側枝等を棚線とともに把持状態に維持することができ、天候回復後の必要な作業の手間等を省くのにも有効な手段とすることができる。また、一対の操作部に、支点となる開閉部を中心とする同一円弧上に内側へ突出させたストッパ部をそれぞれ設けた構成とすれば、把持部が拡がりすぎることがなくなるとともに、繰り返しの使用によって生じる開閉部の劣化を抑えることもできる。
【図面の簡単な説明】
【００１０】
【図１】本発明に係る第１実施形態における植物用栽培具の概略正面図である。
【図２】本発明に係る第１実施形態における植物用栽培具の概略平面図である。
【図３】本発明に係る第１実施形態における植物用栽培具に関し、付勢部を内向きに指向させた状態を説明する概略正面図である。
【図４】本発明に係る第１実施形態における植物用栽培具に関し、操作部を操作した状態を説明する概略正面図である。
【図５】本発明に係る第１実施形態における植物用栽培具の把持部を前側から見た形態を説明する図１のＩＶ−ＩＶ端面図である。
【図６】本発明に係る第２実施形態における植物用栽培具に関し、付勢部を内向きに指向させた状態を説明する概略正面図である。
【図７】図３の植物用栽培具について使用状態を説明する概略説明図である。
【図８】図６の植物用栽培具について使用状態を説明する概略説明図である。
【発明を実施するための形態】
【００１１】
以下、本発明の第１実施形態を図面に基づいて説明する。
【００１２】
（第１実施形態）
本発明に係る第１実施形態における植物用栽培具１は、図１に示すとおり、一対で、支点となる開閉部Ａによって開閉自在に連設された前側の把持部１１，１２と、この把持部１１，１２に対し、開閉部Ａを介して後側に連設された一対の操作部１３，１４と、この操作部１３，１４の一方から他方に向かって連なる付勢部１５とからなる。
【００１３】
特に、付勢部１５は、操作部１３，１４の後端を一方から他方へ連なるようにされている。また、図１において、付勢部１５の後側の頂点とともに、付勢部１５の操作部１３，１４の後端部との連結点にそれぞれヒンジ１５１，１５２，１５３が設けられている。
【００１４】
把持部１１，１２は、棚線Ｌを銜えて鋏持する先端の挟持部１１１，１２１と、植物Ｐの例えば、側枝ＳＢを銜えて保持する保持部１１２，１２２とからなる。保持部１１２，１２２は、植物Ｐの側枝ＳＢを傷つけにくくするために、一対にて略円形の形態となるようにされている。また、挟持部１１１，１２１には、図５に示すように、棚線Ｌを確実に銜えるようにするための段部１１ａ，１２ａが設けられている。このような段部１１ａ，１２ａの形態は例示であるが、棚線Ｌが何らかの衝撃によって挟持部１１１，１２１から外れないようにするために好ましい形態となるものである（図７も参照のこと）。
【００１５】
また、操作部１３，１４には、支点となる開閉部Ａを中心とする同一円弧上に、対向する内側へ向けて突出させたストッパ部１３１，１４１がそれぞれ設けられている。
【００１６】
このほか、植物用栽培具１は、開閉部Ａに、把持部１１，１２側に切り欠きのような凹部Ａ１を設けることが好ましい。この凹部Ａ１の存在により把持部１１，１２の開閉が、よりスムーズになる。
【００１７】
ここで、植物用栽培具１は、その材質を問うものではない。また、その成型手段としては、例えば、射出成形を採用すればよい。また、図面とともに説明している植物用栽培具１は、一体成型されてなるものであり、安価な製造が期待できるものの、一体成型することに限定されない。例えば、付勢部を、把持部および操作部の本体と別体として形成し、これらを組み合わせて用いて構成しても好ましい実施形態となるからである。この場合、様々な付勢力のバラエティに富んだ付勢部を揃え、用途に応じて、必要な付勢力をもつ付勢部と本体とを組み合わせて用いるという使用形態を想定することができる。
【００１８】
植物用栽培具１は、図１に示すような形態で、付勢部１５にある程度の付勢力を備えさせ、その付勢力によって把持部１１，１２を開閉自在にし、植物Ｐの側枝ＳＢを銜え込んで把持状態にすることができる。さらに、図３に示すように、付勢部１５には、その後側の頂点とともに、操作部１３，１４の後端部との連結点にそれぞれヒンジ１５１，１５２，１５３が設けられているので、これらのヒンジ１５１，１５２，１５３を活用し、付勢部１５を内向き（前側）に指向させることができる。このような形態とすれば、付勢部１５による付勢力を強力なものとすることができる。
【００１９】
なぜなら、図３に示すような形態とすれば、植物用栽培具１における操作部１３，１４を操作した状態において、付勢部１５がヒンジ１５１，１５２，１５３を支点にして撓り、その付勢力が強化されるからである。図４からは、操作部１３，１４を操作した状態において、付勢部１５がヒンジ１５１，１５２，１５３を支点にして撓り、その付勢力が強化されている様子が理解される。すなわち、植物用栽培具１では、付勢部１５を内向き（前側）に指向させ、この内向きに指向している頂点のヒンジ１５２と、操作部１３，１４の後端部との連結点のヒンジ１５１，１５３とを設けた構成とすれば、その付勢力が増して、雨風等が激しい場合にも把持部１１，１２にて植物Ｐの側枝ＳＢを棚線Ｌとともに把持状態に維持することができ、天候回復後の必要な作業の手間等を省くのに有効な手段となる。
【００２０】
また、植物用栽培具１では、図３と図４との比較から理解されるように、把持部１１，１２がある程度開くことによって、操作部１３，１４に設けられたストッパ部１３１，１４１の端部同士が衝合するようになる。そうすると、植物用栽培具１は、把持部１１，１２が開きすぎるということがなくなる。これにより、植物用栽培具１の繰り返しの使用によって最も劣化の影響を受けやすいと認められる開閉部Ａの劣化が抑えられることになる。
【００２１】
植物用栽培具１に関し、図１のものを一例として寸法を示す。植物用栽培具１は、前側の把持部１１，１２の先端から操作部１３，１４の後側までの全長が６０ｍｍ前後で、把持部１１，１２が２５ｍｍ前後、操作部１３，１４が３５ｍｍ前後である。操作部１３，１４の間の幅は最大箇所で４５ｍｍ前後であり、操作部１３，１４の指で摘む箇所の面積は約１００ｍｍ2である（図２も参照すること。）。また、付勢部１５の厚みは１〜１．５ｍｍである。ストッパ部１３１，１４１は、把持部１１，１２の開かせる程度を考慮しつつ、操作部１３，１４の対向する内側へ、開閉部Ａを中心とした同一円弧上に突出させて設ければよい。
【００２２】
（第２実施形態）
また、本発明に係る第２実施形態における植物用栽培具１０は、図６に示すように、上述した植物用栽培具１に対し、把持部１１，１２の挟持部１１１，１２１に代えて、引っ掛け部１６を設けて構成したものである。引っ掛け部１６は、釣り針のようなフック形状を有し、その先端部を自身の基部に近づかせるようにした形態に形成されている。また、その先端部に、自身の基部に向けて凸部を設け、先端部を自身の基部に近づかせるようにした形状の引っ掛け部であっても好ましい実施形態となる等、引っ掛け部は、使用用途に応じ、その大きさ、形状等を適宜調整して設けることができる。なお、引っ掛け部１６は、上述した植物用栽培具１に対し、挟持部１１１，１２１の先端側に追加的に設けてもよい。
【００２３】
なお、その他の構成は、上述した植物用栽培具１と同一の構成であり、操作部１３，１４をはじめ、内向きに指向させた付勢部１５、操作部１３，１４の内側へ向けて突出させたストッパ部１３１，１４１をそれぞれ備えている。また、把持部１１，１２の植物Ｐの側枝ＳＢを銜えて保持する保持部１１２，１２２も植物用栽培具１と同様な形態にて設けられている。
【００２４】
図１〜５に示した植物用栽培具１と、図６に示した植物用栽培具１０とを比べると、上記構成のほか、その使い方が異なる。すなわち、植物用栽培具１では、把持部１１，１２の保持部１１２，１２２にて植物Ｐの側枝ＳＢを保持し、挟持部１１１，１２１にて棚線Ｌを銜えて使うのに対し、植物用栽培具１０では、保持部１１２，１２２にて植物Ｐの側枝ＳＢを保持するのは同様であるが、挟持部１１１，１２１に代えて設けた、または、挟持部１１１，１２１の先端側に追加的に設けた引っ掛け部１６を、棚線Ｌに引っ掛けて使うのである。
【００２５】
以下、本実施形態に係る植物用栽培具１，１０の使用形態を、図７、図８を用いて簡単に説明する。下記説明は、あくまで例示であるが、植物用栽培具１，１０が使用される状況としては、主としてキウリ、メロン等のウリ科の植物Ｐを育成させ、その側枝ＳＢの実Ｆがなってきたときに、実Ｆによって植物Ｐの自重が重くなり、植物Ｐが主枝ごと重力方向に倒れるようなことがないようにするために使用されることが想定される。
【００２６】
まず、植物用栽培具１の使用形態であって、付勢部１５を内向き（前側）に指向させて、図３に示すような植物用栽培具１の形態に変化させてから使用した場合を説明する。
【００２７】
この場合、まず、植物用栽培具１の操作部１３，１４を指で強く把持（操作）することにより、付勢部１５の付勢力に抗して操作部１３，１４を接近させて把持部１１，１２を開かせる。このとき、操作部１３，１４のストッパ部１３１，１４１の端部同士が衝合するまで把持部１１，１２を開かせても、それ以上開くことがないので構わない。
【００２８】
次に、開いた把持部１１，１２により、実Ｆの周辺の側枝ＳＢを把持する、特に、保持部１１２，１２２にて形成されている略円形の領域に側枝ＳＢを入れるとともに、操作部１３，１４を把持する力を緩めて鋏持部１１１，１２１を閉じ、棚線Ｌを鋏持部１１１，１２１によって銜えさせるようにする。
【００２９】
そうすると、図７に示すように、実Ｆによって植物Ｐの自重が重くなっても、棚線Ｌによって実Ｆの周辺の側枝ＳＢが支持されるようになるため、植物Ｐが主枝ごと重力方向に倒れるようなことを防ぐことができる。
【００３０】
また、図６の植物用栽培具１０では、操作部１３，１４を指で強く把持（操作）することにより把持部１１，１２を開かせ、開いた把持部１１，１２により実Ｆの周辺の側枝ＳＢを把持する、具体的には、保持部１１２，１２２にて形成されている略円形の領域に側枝ＳＢを入れるとともに、操作部１３，１４を把持する力を緩め、さらに引っ掛け部１６を、棚線Ｌに引っ掛けるようにする。
【００３１】
そうすると、植物用栽培具１を用いる場合と同様、図８に示すように、実Ｆによって植物Ｐの自重が重くなっても、棚線Ｌによって実Ｆの周辺の側枝ＳＢが支持されるようになるため、植物Ｐが主枝ごと重力方向に倒れるようなことを防ぐことができる。引っ掛け部１６は、釣り針のようなフック形状を有し、その先端部を自身の基部に近づかせるようにした形態にて形成されているため、雨風等が激しい場合にも棚線Ｌから外れ難い。
【００３２】
このように、本発明では、植物用栽培具１，１０により、合成樹脂製のものであれば、そのコスト面で有利になるにもかかわらず、従来と同様に、ワンタッチで、把持部にて植物Ｐの側枝Ｂ等を把持状態に固定することができ、作業の手間等を省くことができる。特に、付勢部１５にヒンジ１５１，１５２，１５３を設けた構成とし、付勢部１５内向きに指向させることで、その付勢力を強力なものとすることができ、雨風等が激しい場合にも把持部１１，１２によって植物Ｐの側枝ＳＢ等を保持状態に維持することができ、雨風後に必要な作業の手間等を省くのにも有効なものとすることができる。
【００３３】
また、植物用栽培具１，１０は、操作部１３，１４に設けられたストッパ部１３１，１４１によって把持部１１，１２が開きすぎるということがなく、繰り返しの使用によって最も劣化の影響を受けやすいと認められる開閉部Ａの劣化を抑えることもできる。
【００３４】
さらに、植物用栽培具１のように鋏持部１１１，１２１によって銜えさせることにより、または、植物用栽培具１０のように引っ掛け部１６によって引っ掛けるようにすることにより、棚線Ｌに植物Ｐの側枝ＳＢ等を支持させることができ、実Ｆによって植物Ｐの自重が重くなっても、植物Ｐが主枝ごと重力方向に倒れるようなことを防ぐことができる。
【００３５】
以上、本発明に係るいくつかの実施形態を詳述したが、本発明は上記実施形態に限定されるものではない。そして本発明は、特許請求の範囲に記載された事項を逸脱することがなければ、種々の設計変更を行うことが可能である。
【００３６】
設計変更の例示としては、例えば、植物用栽培具を、一体成型すれば安価な製造が期待できる。また、把持部および操作部の本体とし、付勢部を別体として形成すれば、様々な付勢力のバラエティに富んだ付勢部を揃えて、その用途に応じて用いるといった使い勝手のよいものとなる。さらに、把持しようとする植物に応じて、引っ掛け部を備えたものとするか、鋏持部を備えたものとするか使い分ける、といった利便性を備えた植物用栽培具として提供することができるものである。
【符号の説明】
【００３７】
１・・植物用栽培具（第１実施形態）
１０・植物用栽培具（第２実施形態）
１１，１２・・・把持部
１１１，１２１・鋏持部
１１２，１２２・支持部
１１ａ，１２ａ・段部
１３，１４・・・操作部
１５・・・・・・付勢部
１５１，１５３・連結点のヒンジ
１５２・・・・・頂点のヒンジ
１６・・・・・・引っ掛け部
Ａ・・・・・・・開閉部
Ａ１・・・・・・凹部
Ｆ・・・・・・・実
ＳＢ・・・・・・側枝
Ｐ・・・・・・・植物（ウリ科）
【図１】
2012000029.tif 000003
【図２】
2012000029.tif 000004
【図３】
2012000029.tif 000005
【図４】
2012000029.tif 000006
【図５】
2012000029.tif 000007
【図６】
2012000029.tif 000008
【図７】
2012000029.tif 000009
【図８】
2012000029.tif 000010